(57)【要約】【課題】例えば、清掃作業が容易であって、取り扱いが容易な食器洗浄機用ノズル装置及び食器洗浄機を提供することを目的とする。【解決手段】洗浄水又はすすぎ水のいずれか一方を噴射する第１ノズルと、他方を噴射する第２ノズルと、を含む。第１ノズルと第２ノズルは、共通の回転軸を中心に回転可能に軸支されている。第１ノズル又は第２ノズルのいずれか一方が、回転軸を中心に所定の方向に回転したときに、第１ノズルに設けた第１係合部と第２ノズルに設けた第２係合部が係合して第１ノズル又は第２ノズルのいずれか他方を回転させる。また、第１ノズル又は第２ノズルのいずれか一方を、回転軸を中心に所定の方向とは反対方向に回転させたときに、又は、第１ノズル又は第２ノズルのいずれか他方を、回転軸を中心に前記所定の方向に回転させたときに、第１係合部と第２係合部の係合が解除される。【選択図】図１
2020130235.tif 000002
【特許請求の範囲】
【請求項１】
洗浄水又はすすぎ水のいずれか一方を噴射する第１ノズルと、
洗浄水又はすすぎ水のいずれか他方を噴射する第２ノズルと、を含み、
前記第１ノズルと前記第２ノズルは、共通の回転軸を中心に回転可能に軸支されており、
前記第１ノズル又は前記第２ノズルのいずれか一方が、前記回転軸を中心に所定の方向に回転したときに、前記第１ノズルに設けた第１係合部と前記第２ノズルに設けた第２係合部が係合して前記第１ノズル又は前記第２ノズルのいずれか他方を回転させ、
前記第１ノズル又は前記第２ノズルの前記いずれか一方を、前記回転軸を中心に前記所定の方向とは反対方向に回転させたときに、又は、前記第１ノズル又は前記第２ノズルの前記いずれか他方を、前記回転軸を中心に前記所定の方向に回転させたときに、前記第１係合部と前記第２係合部の係合が解除されることを特徴とする食器洗浄機用ノズル装置。
【請求項２】
前記第１ノズルと前記第２ノズルは、前記回転軸の軸周りの少なくとも一部にて前記回転軸の軸線方向において対面して配置され、
前記第１係合部は、前記第１ノズルの、前記第２ノズルに対する対面側に設けられている、請求項１に記載の食器洗浄機用ノズル装置。
【請求項３】
前記第１係合部は、前記回転軸の軸周りに形成された、前記第２ノズルに対する対面側の面に設けられている、請求項２に記載の食器洗浄機用ノズル装置。
【請求項４】
前記第１係合部は、前記面において前記対面側に突出した突部である、請求項３に記載の食器洗浄機用ノズル装置。
【請求項５】
前記第２係合部は、前記軸線方向に沿う前記第２ノズルの外側壁である、請求項４に記載の食器洗浄機用ノズル装置。
【請求項６】
前記第１ノズルと前記第２ノズルは、前記対面側において摺接している、請求項２乃至５のいずれかに記載の食器洗浄機用ノズル装置。
【請求項７】
前記第１ノズルと前記第２ノズルは、前記第１係合部と前記第２係合部が係合したときに、前記軸線方向と直交する面において互いに最大で略９０度を成し、
前記第１ノズルと前記第２ノズルの係合を解除したときに、前記第１ノズルと前記第２ノズルは前記軸線方向において互いに重なった状態とされ得る、請求項１乃至６のいずれかに記載の食器洗浄機用ノズル装置。
【請求項８】
前記第１ノズルは、洗浄水又はすすぎ水のいずれか一方を噴射する際に生じる水圧を利用して回転させることができ、前記第２ノズルは、洗浄水又はすすぎ水のいずれか他方を噴射する際に生じる水圧を利用して回転させることができる、請求項１乃至７のいずれかに記載の食器洗浄機用ノズル装置。
【請求項９】
前記第１ノズルは洗浄水を噴射し、前記第２ノズルは前記すすぎ水を噴射し、前記第２ノズルは、前記第１ノズルに対して、前記洗浄水及び前記すすぎ水の噴射側に位置付けられている、請求項１乃至８のいずれかに記載の食器洗浄機用ノズル装置。
【請求項１０】
請求項１乃至９のいずれかに記載の食器洗浄機用ノズル装置を備えた食器洗浄機。
【発明の詳細な説明】
【技術分野】
【０００１】
本発明は、洗浄ノズルとすすぎノズルを備える食器洗浄機用ノズル装置、及び、この食器洗浄機用ノズル装置を備えた食器洗浄機に関する。
【背景技術】
【０００２】
特許文献１に、洗浄ノズルとすすぎノズルを備える食器洗浄機用ノズル及び食器洗浄機の一例が開示されている。
洗浄ノズルは一方向に長い扁平状の箱状部材として形成されており、その中心軸は洗浄やすすぎを行う庫内の側に突出したノズル本体に水密に嵌め込まれている。洗浄ノズルの外壁には、すすぎノズルの長さ方向に沿う凹部が形成されており、この凹部内にすすぎノズルが収納されるようになっている。
【０００３】
すすぎノズルは、ノズル本体の周面に設けた、すすぎノズルが挿し込まれるすすぎ水供給口に挿し込まれた上で、固定ねじでねじ止めすることによって固定されている。
【０００４】
明らかなように、特許文献１の食器洗浄機用ノズルでは、すすぎノズルと洗浄ノズルは凹部等を通じて一体化されており、回転時のみならず、未使用時においても、これらは常に互いに所定の角度を維持した状態で固定されている。
【先行技術文献】
【特許文献】
【０００５】
【特許文献１】特許第６１４２４１４号公報
【発明の概要】
【発明が解決しようとする課題】
【０００６】
言うまでもないことであるが、食器洗浄機の庫内は常に清潔に保つ必要がある。このため、使用後は、すすぎノズルや洗浄ノズルをよけて庫内を清掃し、また、例えば、庫内の底部に設けた排水口を塞ぐ残菜かごを取り出して残菜を捨てる作業が必要となる。
【０００７】
しかしながら、特許文献１の構成では、すすぎノズルと洗浄ノズルは凹部等を通じて一体化されており、回転時のみならず、未使用時においても、更に言えば、庫内の清掃時においても、常に互いに所定の角度を維持した状態で固定されていることから、例えば、残菜かごの取り出しが妨げられる等、清掃作業が著しく妨げられ、取り扱いが煩雑であるといった問題があった。
【０００８】
本発明はこのような従来技術における問題点を解決するためになされたものであり、例えば、清掃作業が容易であって、取り扱いが容易な食器洗浄機用ノズル装置及び食器洗浄機を提供することを目的とする。
【課題を解決するための手段】
【０００９】
上記の課題を解決するため、本発明の一態様による食器洗浄機用ノズル装置は、洗浄水又はすすぎ水のいずれか一方を噴射する第１ノズルと、洗浄水又はすすぎ水のいずれか他方を噴射する第２ノズルと、を含み、前記第１ノズルと前記第２ノズルは、共通の回転軸を中心に回転可能に軸支されており、前記第１ノズル又は前記第２ノズルのいずれか一方が、前記回転軸を中心に所定の方向に回転したときに、前記第１ノズルに設けた第１係合部と前記第２ノズルに設けた第２係合部が係合して前記第１ノズル又は前記第２ノズルのいずれか他方を回転させ、前記第１ノズル又は前記第２ノズルの前記いずれか一方を、前記回転軸を中心に前記所定の方向とは反対方向に回転させたときに、又は、前記第１ノズル又は前記第２ノズルの前記いずれか他方を、前記回転軸を中心に前記所定の方向に回転させたときに、前記第１係合部と前記第２係合部の係合が解除されることを特徴として有する。
また、本発明は、このような食器洗浄機用ノズル装置を備えた食器洗浄機を特徴として有する。
【００１０】
上記態様の食器洗浄機用ノズル装置等において、前記第１ノズルと前記第２ノズルは、前記回転軸の軸周りの少なくとも一部にて前記回転軸の軸線方向において対面して配置され、前記第１係合部は、前記第１ノズルの、前記第２ノズルに対する対面側に設けられていてもよい。
【００１１】
また、上記態様の食器洗浄機用ノズル装置等において、前記第１係合部は、前記回転軸の軸周りに形成された、前記第２ノズルに対する対面側の面に設けられていてもよい。
【００１２】
更に、上記態様の食器洗浄機用ノズル装置等において、前記第１係合部は、前記面において前記対面側に突出した突部であってもよい。
【００１３】
また、上記態様の食器洗浄機用ノズル装置等において、前記第２係合部は、前記軸線方向に沿う前記第２ノズルの外側壁であってもよい。
【００１４】
また、上記態様の食器洗浄機用ノズル装置等において、前記第１ノズルと前記第２ノズルは、前記対面側において摺接していてもよい。
【００１５】
更にまた、上記態様の食器洗浄機用ノズル装置等において、前記第１ノズルと前記第２ノズルは、前記第１係合部と前記第２係合部が係合したときに、前記軸線方向と直交する面において互いに最大で略９０度を成し、前記第１ノズルと前記第２ノズルの係合を解除したときに、前記第１ノズルと前記第２ノズルは前記軸線方向において互いに重なった状態とされ得るものであってもよい。
【００１６】
また、上記態様の食器洗浄機用ノズル装置等において、前記第１ノズルは、洗浄水又はすすぎ水のいずれか一方を噴射する際に生じる水圧を利用して回転させることができ、前記第２ノズルは、洗浄水又はすすぎ水のいずれか他方を噴射する際に生じる水圧を利用して回転させることができるものであってもよい。
【００１７】
また、上記態様の食器洗浄機用ノズル装置等において、前記第１ノズルは洗浄水を噴射し、前記第２ノズルは前記すすぎ水を噴射し、前記第２ノズルは、前記第１ノズルに対して、前記洗浄水及び前記すすぎ水の噴射側に位置付けられていてもよい。
【発明の効果】
【００１８】
本発明によれば、例えば、清掃作業が容易であって、取り扱いが容易な食器洗浄機用ノズル装置及び食器洗浄機が提供される。
【図面の簡単な説明】
【００１９】
【図１】本発明の一実施形態による食器洗浄機用ノズル装置をその周辺部材とともに示す斜視図である。
【図２】図１のＡ−Ａ線中心断面図である。
【図３】食器用洗浄機用ノズル装置に含まれる一部部品の分解斜視図である。
【図４】洗浄ノズル又はすすぎノズルのいずれか一方が反対方向に回転したとき等の状態を示す斜視図である。
【図５】清掃作業時における洗浄ノズルとすすぎノズルの取り扱いをより具体的に説明する図である。
【図６】清掃作業時における洗浄ノズルとすすぎノズルの取り扱いをより具体的に説明する図である。
【図７】清掃作業時における洗浄ノズルとすすぎノズルの取り扱いをより具体的に説明する図である。
【発明を実施するための形態】
【００２０】
以下、添付図面を参照しつつ、本発明の好適な一つの実施形態について説明する。説明の便宜のため好適な実施形態のみを示すが、勿論、これによって本発明を限定しようとするものではない。
【００２１】
図１は、本発明の一実施形態による食器洗浄機用ノズル装置、特に、食器洗浄機（図示されていない）の下側に配置される食器洗浄機用ノズル装置をその周辺部材とともに示す斜視図、図２は、図１のＡ−Ａ線中心断面図、図３は、食器用洗浄機用ノズル装置に含まれる一部部品の分解斜視図である。特に図示しないが、食器洗浄機の上側にも、図１等に示した食器洗浄機用ノズル装置が設けられているものとする。以下、主として下側に配置された食器洗浄機用ノズル装置の構造について説明するが、上側に配置された食器洗浄機用ノズル装置についても、これと同様に考えてよい。但し、必ずしも上側及び下側の双方に食器洗浄機用ノズル装置を設ける必要はなく、いずれか一方の側に設けてもよい。
【００２２】
食器洗浄機用ノズル装置１は、この食器洗浄機用ノズル装置１を備えた食器洗浄機（図示されていない）の庫内に洗浄水を噴射する洗浄ノズル２と、該庫内にすすぎ水を噴射するすすぎノズル３を含む。更に、例えば、洗浄ノズル２から噴射される洗浄水、及び、すすぎノズル３から噴射されるすすぎ水を蓄積することができる本体４と、本体４の庫内側に固定されて洗浄ノズル２とすすぎノズル３を回転可能に軸支する配管軸６、配管軸６の突起６２に取付けられて洗浄ノズル２とすすぎノズル３を固定する留め具５等を含んでもよい。
【００２３】
洗浄ノズル２とすすぎノズル３は、配管軸６等を利用して、共通の回転軸を中心に回転可能に軸支されている。本実施形態では、すすぎノズル３は、洗浄ノズル２に対して、洗浄水及びすすぎ水の噴射側、言い換えれば、洗浄やすすぎを行う庫内の中心側に位置付けられている。洗浄ノズル２は一般にすすぎノズル３より大型であるため、このように配置することにより、特に、洗浄ノズル２とすすぎノズル３を重ねた状態で設置したときに、ノズルの配置安定性を高めることができる。但し、これとは逆に、洗浄ノズル２を、すすぎノズル３に対して、洗浄水及びすすぎ水の噴射側に位置付けても勿論よい。洗浄ノズル２とすすぎノズル３は、着脱自在とされた留め具５を利用して、食器洗浄機（図示していない）に対して取付け、取外し自在に設けられている。従って、清掃作業の際には、洗浄ノズル２とすすぎノズル３を、庫外に取り出して、清掃することができる。
【００２４】
本体４は、略腕状の上側本体部４１及び下側本体部４２を含む。上側本体部４１と下側本体部４２は、配管軸６の軸線方向「γ」にて互いに組み合わされた状態で固定され、内部に容器状の畜水室４３を形成する。畜水室４３には、洗浄水を畜水することができるとともに、すすぎ水を畜水することができる容器状の畜水室４４が組み込まれる。洗浄水は、下側本体部４２に設けた給水口４３ａを通じて畜水室４３へ給水される。一方、上側の食器洗浄機用ノズル装置の畜水室には、分岐口４３ｂを通じて給水される。その後、洗浄水は、上側本体部４１の頂面に開けられた環状の給水穴４１ｂを通じて、洗浄ノズル２へと給水される。
【００２５】
畜水室４４は、下側本体部４２の一中間付近から上側本体部４１を挿通してすすぎノズル３にまで到達した状態で、上下方向に延びている。畜水室４４には、畜水室４３の容器空間を貫通した状態で本体４の外部と連絡可能に設けられた給水口４４ａを通じて、すすぎ水が給水される。一方、上側の食器洗浄機用ノズル装置の畜水室には、分岐口４４ｂを通じて給水される。畜水室４３の内部において、畜水室４４はすすぎ水と完全に分離されており、従って、洗浄水とすすぎ水が混水してしまうことはない。畜水室４４は、その上部において配管軸６と連絡しており、給水されたすすぎ水は、配管軸６の上部に設けた透孔６１を通じて、すすぎノズル３へ給水される。
【００２６】
洗浄ノズル２は、全体として偏平形状を有し、平面視略環状の基部２１と、基部２１の側部から自由端側にそれぞれ左右方向に沿って延びる２本の長さ部分２２を含む。これら基部２１と長さ部分２２は、互いに連通し、且つ、本体４１の給水穴４１ｂと連通しており、畜水可能な内部空間を有した容器として形成されている。
【００２７】
基部２１の中心に、配管軸６が貫通される貫通孔２１ａが設けられている。基部２１は、貫通孔２１ａの軸周りに周状に形成されている。
基部２１の頂面２１ｂは、比較的大きな面を形成しており、すすぎノズル３が摺接した状態で配置される摺接面２１ｂを形成する。洗浄ノズル２とすすぎノズル３を摺接させた状態とすることにより、軸線方向「α」において、装置の小型化が図られる。すすぎノズル３は、この摺接面２１ｂの少なくとも一部にて軸線方向「γ」において対面して配置され、摺接面２１ｂと摺接した状態でその面上において回転する。摺接面２１ｂには、洗浄ノズル２とともにすすぎノズル３を回転させるため、第１係合部が設けられている。第１係合部は、本実施形態に示すように、例えば、すすぎノズル３に対する対面側に向かって、「γ１」方向に突出した突部２１Ａとして形成されていてもよい。突部２１Ａは、本実施形態に示すように、貫通孔２１ａを挟んで対向位置に２個配置されていてもよい。但し、必ずしも２個必要なわけではなく、１個のみとすることもできる。
【００２８】
基部２１の底面２２ｂは、本体４の上側本体部４１と面している。底面２２ｂには、環状の凹部２４が設けられており、この凹部２４は、本体４の上側本体部４１に設けた凸部４１ａ、更に詳細には、給水穴４１ｂの外郭に位置する環状の凸部４１ａと噛み合わされる。洗浄ノズル２は、これら凹部２４と凸部４１ａを噛み合させた状態で、本体４の上部において、配管軸６を中心に回動可能に支持される。
【００２９】
長さ部分２２は、自由端側に向かって長さ方向（例えば、図１の「β」方向に相当）に沿って延出しており、幅方向（例えば、図１の「α」方向に相当）に比較的大きな寸法を有する。長さ部分２２は、基部２１から長さ方向において多少離間した位置からその自由端にまで及ぶ溝部２２ａを有する。溝部２２ａには、長さ方向「β」において互いに離間された複数の噴射口２３が設けられている。洗浄水は、これらの各噴射口２３を通じて庫内に向かって噴出される。洗浄ノズル２は、この噴射の際に生じる水圧を利用して回転するように構成されてもよい。水圧を利用してノズルを回転させることにより、モータ等を省略して装置を簡易化することができる。
【００３０】
すすぎノズル３は、全体として細い棒形状を有し、平面視略環状の基部３１と、基部３１の側部から自由端側にそれぞれ左右方向に沿って延びる２本の長さ部分３２を含む。これら基部３１と長さ部分３２は、互いに連通し、且つ、配管軸６の透孔６１と連通しており、畜水可能な内部空間を有した容器として形成されている。
【００３１】
基部３１の中心に、配管軸６が貫通される貫通孔３１ａが設けられている。基部３１は、貫通孔３１ａの軸周りに周状に形成される。
基部３１の頂面は、比較的小さな面を形成しており、その一部は留め具５が取り付けられる段部３１ｂとして形成されている。洗浄やすすぎの際に、洗浄ノズル２とすすぎノズル３を同時に回転させるため、すすぎノズル３には、洗浄ノズル２に形成された第１係合部としての突部２１Ａに対応する第２係合部が設けられている。例えば、軸線方向「γ」に沿う、長さ部分３２の外側壁３２Ａを、第２係合部として使用してもよい。長さ部分３２の外側壁３２Ａを利用することにより、特別な部材を準備することなく、第２係合部を設けることができ、従って、装置構成の簡易化が図られる。
【００３２】
基部３１の底面３１ｃは、洗浄ノズル２の基部２１に形成された摺接面２１ｂと面している。底面３１ｃには、下方に突出した環状の突部３４が形成されており、この突部３４を、摺接面２１ｂの貫通孔２１ａに設けた環状段部２１ｃと噛み合させた状態で、すすぎノズル３は、洗浄ノズル２の基部２１の摺接面２１ｂにおいて、配管軸６を中心に回動可能に支持される。
【００３３】
長さ部分３２は、自由端側に向かって長さ方向（例えば、図１の「α」方向に相当）に沿って延出し、且つ、幅方向（例えば、図１の「β」方向に相当）に比較的小さな寸法を有する。長さ部分３２は、基部３１から長さ方向において多少離間した位置からその自由端にまで及ぶ溝部３２ａを有する。溝部３２ａには、長さ方向「α」において互いに離間された複数の噴射口３３が設けられている。すすぎ水は、これらの各噴射口３３を通じて庫内に向かって噴出される。すすぎノズル３は、この噴射の際に生じる水圧を利用して回転するように構成されてもよい。水圧を利用してノズルを回転させることにより、モータ等を省略して装置を簡易化することができる。
【００３４】
洗浄ノズル２が、例えば、噴射口２３から「θ２」方向に向かって噴射された洗浄水の水圧を利用する等して「θ１」方向に回転したときには、第１係合部としての洗浄ノズル２の突部２１Ａの一方の面２１Ａ−１と、第２係合部としてのすすぎノズル３の外側壁３２Ａの一方の面３２Ａ−１が、図１に示すように、衝突によって係合して、洗浄ノズル２がすすぎノズル３を回転させる。尚、この回転の際、洗浄ノズル２とすすぎノズル３は、図１に示すように、軸線方向「γ」と直交する「α−β」面において互いに略９０度を成すのが好ましい。このような角度に設定することにより、洗浄ノズル２からの洗浄水を、すすぎノズル３によって邪魔されることなく庫内に噴射させることができる。
一方、すすぎノズル３が、例えば、噴射口３３から「θ２」方向に向かって噴射されたすすぎ水の水圧を利用する等して「θ１」方向に回転したときには、第１係合部としての洗浄ノズル２の突部２１Ａの他方の面２１Ａ−２と、第２係合部としてのすすぎノズル３の外側壁３２Ａの他方の面３２Ａ−２が、衝突によって係合して、更に詳細には、洗浄ノズル２とすすぎノズル３が、軸線方向「γ」と直交する「α−β」面において、例えば、図１に示す略９０度の状態から、互いに重なった状態である０度の状態を経て、最終的に、略３０度を成した状態となり、すすぎノズル３が洗浄ノズル２を回転させる。尚、この場合、洗浄ノズル２とすすぎノズル３は、軸線方向「γ」と直交する「α−β」面において互いに略３０度を成すことになるが、すすぎノズル３は、洗浄ノズル２よりも庫内側に配置されているため、このような角度であっても、すすぎノズル３からのすすぎ水を、洗浄ノズル２によって邪魔されることなく庫内に噴射させることができる。
【００３５】
図４に、上述した洗浄ノズル２又はすすぎノズル３のいずれか一方を、所定の方向「θ１」とは反対方向「θ２」に回転させたとき、又は、上述した洗浄ノズル２又はすすぎノズル３のいずれか他方を、所定の方向「θ１」に回転させたときの状態を、図１と同様の斜視図で示す。このとき、洗浄ノズル２の第１係合部としての突部２１Ａと、すすぎノズル３の第２係合部としての外側壁３２Ａの衝突状態が解消され、言い換えれば、係合が解除され、洗浄ノズル２とすすぎノズル３は、軸線方向「γ」と直交する「α−β」面において互いに略９０度等を成す状態から、例えば、互いに重なった状態とされる。尚、係合を解除させる方向に回転させることができる角度は、突部２１Ａの位置や個数によって決定され、本実施形態のように、対向する突部２１Ａを２個設けた場合には、最大で略９０度となる。しかしながら、例えば、突部２１Ａを１個だけとした場合には、９０度を超えて、更に、最大で略１５０度回転させることができる。いずれにせよ、このような回転により、洗浄ノズル２とすすぎノズル３を、軸線方向「γ」において互いに重なった状態とし、回転軸に対して略一直線状に配置することができる。このとき、洗浄ノズル２とすすぎノズル３は、それらの占有面積を最も小さくた状態にあり、従って、このような状態とすることにより、清掃作業等をより容易に行うことができる。
【００３６】
このように、食器洗浄機用ノズル装置１によれば、洗浄やすすぎの際には、洗浄ノズル２とすすぎノズル３を同時に回転させることができる一方で、例えば、清掃作業の際には、いずれか一方を他方に対して自由に回転させることができるため、取り扱いを容易にすることができる。図５乃至図７を参照して、清掃作業時の取り扱いをより具体的に説明する。これらの図は、洗浄ノズル２とすすぎノズル３を、食器洗浄機の庫内に設けた底受部７等とともに示した斜視図である。底受部７には、洗浄水を貯めることができ、また、底受部７の底部と連結させた排水管７１を通じて、庫内で使用した洗浄水やすすぎ水を最終的に排出させることができる。
【００３７】
底受部７には、食器洗浄の際に生じた残菜等を掬い取る残菜フィルタ８や、これを集める残菜かご９が配置される。残菜かご９は、例えば、残菜フィルタ８に設けた切り欠き８１を利用して、底受部７の所定位置に配置され得る。
【００３８】
清掃作業の際には、これら残菜フィルタ８や残菜かご９を、庫内から取り外して、それらに溜まった残菜等を排出する必要がある。これらを取り出す際、図５に示すように、洗浄ノズル２とすすぎノズル３が、洗浄／すすぎ位置にあると、言い換えれば、略９０度等の角度で配置されていると、残菜フィルタ８等の取り出しが妨げられ、清掃作業を容易に行うことができない。
【００３９】
これに対し、図６、図７に示すように、洗浄ノズル２とすすぎノズル３を、軸線方向「γ」において互いに重なった状態とすることにより、残菜フィルタ８等を容易に取り出すことができ、従って、食器洗浄機の取り扱いを容易にすることができる。
【００４０】
本発明は上記の実施形態に限定されるものではなく、発明の趣旨から逸脱しない範囲で適宜変更して具体化することもできる。
例えば、本実施形態では、第１係合部及び第２係合部として、突部と外側壁を利用したが、勿論、突部と外側壁に限定されるものではなく、例えば、双方ともに突部としてもよい。また、本実施形態では、第１係合部としての突部を洗浄ノズルに、第２係合部としての外側壁をすすぎノズルに設けているが、これとは逆に、洗浄ノズルの係合部として外側壁を用い、すすぎノズルの係合部として突部を設けてもよい。更に、本実施形態では、洗浄ノズルとすすぎノズルをそれらの対面側において摺接するものとしているが、必ずしも摺接させる必要はなく、それらを離間させた状態としてもよい。ただし、摺接させることにより、装置の小型化、また、装置の簡素化という利点は得られる。
【符号の説明】
【００４１】
１  食器用洗浄機ノズル装置
２  洗浄ノズル（第１ノズル）
３  すすぎノズル（第２ノズル）
４  本体
５  留め具
６  配管軸
７  庫内底受部
８  残菜フィルタ
９  残材かご
２１  基部
２１ａ  貫通孔
２１ｂ  摺接面
２１Ａ  突部
２２  長さ部分
２３  噴射口
３１  基部
３１ａ  貫通孔
３１ｃ  摺接面
３２  長さ部分
３２Ａ  外側壁
３３  噴射口
４１  上側本体部
４３  蓄水室
４４  蓄水室
【図１】
2020130235.tif 000003
【図２】
2020130235.tif 000004
【図３】
2020130235.tif 000005
【図４】
2020130235.tif 000006
【図５】
2020130235.tif 000007
【図６】
2020130235.tif 000008
【図７】
2020130235.tif 000009